(57)【要約】【課題】両面テープを用いて２つの部品を相互に接着固定する際に、位置決め作業が容易な部品の接着固定方法及び接着固定構造を得る。【解決手段】第１の部品１と第２の部品２のそれぞれの接着面１ａ，２ａの一端に互いに嵌合する段差部１ｂ，２ｂを設け、段差部１ｂには凸部１ｃを形成し、段差部２ｂには凹部２ｃを形成し、接着面１ａの段差部１ｂ側に両面テープ３を貼付けない非着範囲４を設け、非着範囲４以外の接着範囲５に両面テープ３を貼付けた後、第１の部品１をその接着面１ａの段差部１ｂ側から第２の部品２の接着面２ａに当接させ、互いに摺動させながら両段差部１ｂ，２ｂ及び凸部１ｃ，凹部２ｃを嵌合させて位置決めし、両接着面１ａ，２ａを合わせて接着固定するようにした。【選択図】図１
2007063363.tif 000002
【特許請求の範囲】
【請求項１】
両面テープを用いて第１の部品と第２の部品とを相互に接着し固定する部品の接着固定方法において、
上記両部品のそれぞれの接着面の一端に互いに嵌合する段差部を設け、いずれか一方の上記段差部には凸部を形成し、他方の上記段差部には上記凸部に嵌合する凹部を形成し、上記接着面の上記段差部側に上記両面テープを貼付けない非着範囲を設け、上記非着範囲以外を接着範囲とし、いずれか一方の部品の上記接着範囲に上記両面テープを貼付けた後、上記第１の部品をその接着面の段差部側から上記第２の部品の上記接着面に当接させ、上記両段差部及び上記凸部と上記凹部とを嵌合させて位置決めし、上記両接着面を合わせて接着固定することを特徴とする部品の接着固定方法。
【請求項２】
請求項１記載の部品の接着固定方法において、上記第１の部品をその接着面の段差部側から上記第２の部品の上記接着面に当接させた後、上記両部品を相対的に摺動させながら位置決めをすることを特徴とする部品の接着固定方法。
【請求項３】
両面テープを用いて第１の部品と第２の部品とを相互に接着し固定する部品の接着固定構造において、
上記両部品のそれぞれの接着面の一端に互いに嵌合する段差部が設けられ、いずれか一方の上記段差部には凸部が形成され、他方の上記段差部には上記凸部に嵌合する凹部が形成され、上記両部品の上記接着面には、上記段差部側に両面テープを貼付けない非着範囲が設けられており、上記両部品は、上記両段差部及び上記凸部と上記凹部とが嵌合されて位置決めされ、上記非着範囲以外の接着範囲に貼付けられた上記両面テープにより接着固定されることを特徴とする部品の接着固定構造。
【発明の詳細な説明】
【技術分野】
【０００１】
この発明は、両面テープを用いて、２つの部品を位置決めしながら相互に接着し固定する接着固定方法及び接着固定構造に関するものである。
【背景技術】
【０００２】
両面テープを用いて２つの部品を接着固定する場合、両面テープは一般に初期接着力が強いため、一度接着すると位置の変更が困難であり、摺動させながら微調整を行うことは難しい。そのため、両部品間の相対位置は、実質的に最初の接着時における位置決め精度によって決り、その位置決め作業には細心の注意を払う必要があった。このような、両面テープを用いた部品の接着作業における位置決めの困難を解消するための従来の技術として、例えば、２つの部品の内の一方の部品にテープの一面を接着させ、テープの他面と他方の部品とを接着させる前に、そのテープの他面もしくは他方の部品の被接着面の少なくともいずれか一方に、水またはアルコールを塗布し、その状態で他方の部品を接着させた後、両部品を相対的に摺動させて位置決めする技術が開示されている（例えば、特許文献１参照）。
【０００３】
【特許文献１】特許開平５−１１２７５９号公報（第１頁、図１）
【発明の開示】
【発明が解決しようとする課題】
【０００４】
特許文献１に示す従来の方法は、両面テープまたは被接着面の少なくともいずれか一方に水またはアルコールを塗布することにより初期接着力を弱め、両面テープと被接着面とを合わせた後に接着面間での相対的な摺動を可能としたものであるが、この方法では、接着作業において、水またはアルコールを塗布する工程が必要であり、また、接着後に水またはアルコールが蒸発して接着面からなくなるまでは当初の接着力が得られないために、直ちに次工程に進むことができず、作業性が悪いという問題点があった。
【０００５】
この発明は、上記のような問題点を解消するためになされたもので、両面テープを用いて２つの部品を相互に接着固定する際に、位置決め作業が容易な部品の接着固定方法及び接着固定構造を提供することを目的とする。
【課題を解決するための手段】
【０００６】
この発明に係る部品の接着固定方法は、両面テープを用いて第１の部品と第２の部品とを相互に接着し固定する部品の接着固定方法において、両部品のそれぞれの接着面の一端に互いに嵌合する段差部を設け、いずれか一方の段差部には凸部を形成し、他方の段差部には凸部に嵌合する凹部を形成し、接着面の段差部側に両面テープを貼付けない非着範囲を設け、非着範囲以外を接着範囲とし、いずれか一方の部品の接着範囲に両面テープを貼付けた後、第１の部品をその接着面の段差部側から第２の部品の接着面に当接させ、両段差部及び凸部と凹部とを嵌合させて位置決めし、両接着面を合わせて接着固定するようにしたものである。
【０００７】
また、この発明に係る部品の接着固定構造は、両部品のそれぞれの接着面の一端に互いに嵌合する段差部が設けられ、いずれか一方の段差部には凸部が形成され、他方の段差部には凸部に嵌合する凹部が形成され、両部品の接着面には、段差部側に両面テープを貼付けない非着範囲が設けられており、両部品は、両段差部及び凸部と凹部とが嵌合されて位置決めされ、非着範囲以外の接着範囲に貼付けられた両面テープにより接着固定したものである。
【発明の効果】
【０００８】
この発明の部品の接着固定方法又は接着固定構造によれば、両部品のそれぞれの接着面の一端に、互いに嵌合する段差部及び凸部と凹部とを設け、接着面の段差部側に両面テープを貼付けない非着範囲を残し、それ以外の接着範囲に両面テープを貼付けた後、第１の部品を段差部側から第２の部品の接着面に当接させて位置決めし、接着固定するようにしたので、段差部近傍に両面テープが貼られていない非着範囲があるため、当接後両部品が直ちに接着することがなく、両部品の段差部及び凸部と凹部とを合わせる位置決め作業を容易に行うことができる。
【発明を実施するための最良の形態】
【０００９】
実施の形態１．
以下、この発明を図面に基づいて具体的に説明する。図１はこの発明の実施の形態１による部品の接着固定方法を説明する斜視図であり、図２は両部品を接着する際の動作を説明する側面図である。第１の部品１と第２の部品２とを、両面テープ３を用いて相互に接着固定する場合について、以下に説明する。
【００１０】
第１の部品１は、接着面１ａの一端に段差部１ｂを設け、その段差部１ｂの一部に凸部１ｃを形成している。第２の部品２は、接着面２ａの一端に第１の部品１の段差部１ｂに対応させてその段差部１ｂに嵌合可能な段差部２ｂを設けている。そして、段差部２ｂの一部には第１の部品１の凸部１ｃに嵌合可能な凹部２ｃが形成されている。
第１の部品１の接着面１ａと第２の部品２の接着面２ａとを両面テープ３により接着するが、この両面テープ３が貼付けられる範囲は次のようにしている。すなわち、第１の部品１側で説明すると、接着面１ａの段差部１ｂ側に段差部１ｂのエッジ部１ｄより所定の寸法だけ両面テープ３を貼付けない非着範囲４を設け、この非着範囲４以外（図中の網掛部）を接着範囲５とする。
【００１１】
なお、図では分りやすいように段差部を誇張して表現している。実際の寸法としては、例えば、部品のＣ方向の寸法を２０〜３０ｍｍ程度とすると、段差部は１〜２ｍｍ程度であり、また、このときの非着範囲４の幅（Ｃ方向寸法）は、２ｍｍ程度あればよい。
【００１２】
次に両部品の接着手順について説明する。まず、図１に矢印Ａで示すように、両面テープ３の第１の部品１側の剥離紙をはがし、第１の部品１の接着範囲５に貼付ける。次に、両面テープ３の第２の部品２側の剥離紙をはがし、第１の部品１を矢印Ｂで示すように第２の部品２に接近させて貼り合わせるが、このときの動作を図２で説明する。図２は両部品１，２を接近させたときの状態を側面から見たものである。（ａ）に示すように、第１の部品１をやや傾斜させて、接着面１ａの段差部１ｂ側から第２の部品２の接着面２ａに当接させる。このとき、凸部１ｃの先端又は段差部１ｂのエッジ部１ｄが接着面２ａに当接するが、エッジ部１ｄの近傍は非着範囲４として両面テープ３が貼られていないため、当接部が接着面２ａと接着することはなく、互いに摺動可能である。
【００１３】
そこで、図２（ｂ）に示すように、両部品１，２を相対的に摺動させながら第１の部品１を矢印Ｉ方向に移動させ、段差部１ｂを段差部２ｂに突合わせて嵌合させると同時に、図１のＤ方向にも摺動させながら凸部１ｃを凹部２ｃに嵌合させて位置決めする。
次に、図２（ｂ）の矢印II方向に押圧することにより、接着面１ａと接着面２ａが接着して接着作業が完了する。
【００１４】
なお、図１，図２では、第１の部品１と第２の部品２は矩形状のものを示したが、この形状に限定するものではなく、２つの部品が所定の接着面を持って接着されるものであれば外形形状を問わない。
また、両段差部及び凸部と凹部とは一方の部品側を凸状に、他方の部品側を凹状にして嵌め合わせられるようになっていれば、どちら側を凸状にしてもよい。
また、接着面は平面に限定するものではなく、曲面であってもよい。
更にまた、両面テープは最初に第１の部品側に貼付けたが、最初に第２の部品側に貼付けておいてもよい。但し、この場合、段差部の形状が図１のような場合には、非着範囲４の幅をもう少し広くする必要がある。
【００１５】
以上のように、本実施の形態による部品の接着固定方法によれば、両部品のそれぞれの接着面の一端に、互いに嵌合する段差部及び凸部と凹部とを設け、接着面の段差部側に両面テープを貼付けない非着範囲を設け、非着範囲以外の接着範囲に両面テープを貼付けた後、第１の部品をその接着面の段差部側から第２の部品の接着面に当接させて、両部品を位置決めし接着固定するようにしたので、接着動作の過程において、両部品の一部が当接した段階で、当接部近傍に両面テープが貼られてないために直ちに接着することがないため、両部品の位置決め部を容易に合わせ込んで位置決めすることができる。
また、両部品を当接させた後、両部品を相対的に摺動させながら位置決めをするようにしたので、位置決め用の治具等を必要とせずに、容易に位置決めが可能である。
【００１６】
更に、本実施の形態による部品の接着固定構造によれば、両部品を上記のように構成し、非着範囲以外の接着範囲に貼付けられた両面テープにより接着固定したので、接着時に両部品の位置決めを容易に行うことができる。
【図面の簡単な説明】
【００１７】
【図１】この発明の実施の形態１における部品の接着固定方法を説明する斜視図である。
【図２】この発明の実施の形態１における部品の接着固定方法の途中動作を説明する側面図である。
【符号の説明】
【００１８】
１  第１の部品                      １ａ  接着面
１ｂ  段差部                          １ｃ  凸部
１ｄ  エッジ部                          ２  第２の部品
２ａ  接着面                          ２ｂ  段差部
２ｃ  凹部                              ３  両面テープ
４  非着範囲                          ５  接着範囲。
【図１】
2007063363.tif 000003
【図２】
2007063363.tif 000004